(57)【要約】【課題】異常が発生したときに、二次的な異常が生じるのを確実に防ぐことができる安全性に優れた照明装置、及びこれを用いた表示装置、並びにテレビ受信装置を提供する。【解決手段】熱陰極蛍光管（光源）９、熱陰極蛍光管９を点灯駆動する複数のインバータ回路（点灯駆動回路）１６、及びインバータ回路１６の駆動制御を行う照明制御部（制御部）１５を備えた照明装置において、照明制御部１５は、熱陰極蛍光管９及びインバータ回路１６の少なくとも一方の異常を検出したときに、エラー信号を生成するとともに、異常を検出したインバータ回路１６及び異常を検出した熱陰極蛍光管９を点灯駆動するインバータ回路１６への各電力供給を停止させ、かつ、エラー信号を生成した時点から第１の閾値時間を経過したときに、残り全てのインバータ回路１６への各電力供給を停止させる。【選択図】図３
2009206036.tif 000002
【特許請求の範囲】
【請求項１】
光源を備えた照明装置であって、
前記光源を点灯駆動する複数の点灯駆動回路と、
前記点灯駆動回路の駆動制御を行う制御部を備え、
前記制御部は、前記光源及び前記点灯駆動回路の少なくとも一方の異常を検出したときに、エラー信号を生成するとともに、異常を検出した点灯駆動回路及び異常を検出した光源を点灯駆動する点灯駆動回路への各電力供給を停止させ、かつ、前記エラー信号を生成した時点から第１の閾値時間を経過したときに、残り全ての点灯駆動回路への各電力供給を停止させる、
ことを特徴とする照明装置。
【請求項２】
前記制御部は、前記エラー信号を外部に出力して、異常が発生したことを外部に通報する請求項１に記載の照明装置。
【請求項３】
前記制御部は、前記光源または前記複数のいずれかの点灯駆動回路の異常を検出したときに、その異常を検出した時点から第２の閾値時間を経過するまでに、異常を検出した光源または点灯駆動回路についての異常の検出回数が所定回数を超えたときに、前記エラー信号を生成する請求項１または２に記載の照明装置。
【請求項４】
請求項１〜３のいずれか１項に記載の照明装置を用いたことを特徴とする表示装置。
【請求項５】
情報を表示する表示部を備えるとともに、
前記制御部からの前記エラー信号が入力された場合、前記表示部は、所定の警告画面を表示するように構成されている請求項４に記載の表示装置。
【請求項６】
請求項４または５に記載の表示装置を用いたことを特徴とするテレビ受信装置。
【発明の詳細な説明】
【技術分野】
【０００１】
本発明は、バックライト等に使用される照明装置、及びこれを用いた表示装置、並びにテレビ受信装置に関する。
【背景技術】
【０００２】
近年、例えば家庭用のテレビ受信装置では、液晶表示装置に代表されるように、在来のブラウン管に比べ薄型、軽量等の多くの特長を有するフラットな表示部としての液晶パネルを備えた表示装置が主流になりつつある。このような液晶表示装置には、光を発光する照明装置（バックライト）と、照明装置に設けられた光源からの光に対してシャッターの役割を果たすことで、所望画像を表示する液晶パネルとが設けられている。そして、テレビ受信装置では、テレビ放送の映像信号に含まれた文字、画像等の情報を液晶パネルの表示面上に表示するようになっている。
【０００３】
また、上記照明装置では、液晶パネルに対する光源の配置の仕方によって直下型とエッジライト型とに大別されるが、２０インチ以上の液晶パネルを備えた液晶表示装置では、エッジライト型よりも高輝度・大型化を図り易い直下型の照明装置が一般的に使用されている。すなわち、直下型の照明装置は、液晶パネルの背後（非表示面）側に、複数の光源を配置して構成されており、液晶パネルのすぐ裏側に光源を配置できるため、多数の光源を使用することが可能となり、高輝度が得やすく高輝度・大型化に適している。また、直下型の照明装置は、装置内部が中空構造であるため、大型化しても軽量であることからも、高輝度・大型化に適している。
【０００４】
また、上記のような従来の照明装置では、例えば下記特許文献１に記載されているように、複数の蛍光灯（光源）を設けるとともに、第１駆動系により奇数番目の蛍光灯を駆動し、かつ、第２駆動系により偶数番目の蛍光灯を駆動することが提案されている。そして、この従来の照明装置では、奇数番目の蛍光灯または偶数番目の蛍光灯に異常が発生したときに、対応する第１または第２駆動系の駆動だけを停止させることにより、輝度低下の発生を抑えつつ、輝度ムラが生じるのを防止可能とされていた。
【特許文献１】特開２００７−１８８４７号公報
【発明の開示】
【発明が解決しようとする課題】
【０００５】
しかしながら、上記のような従来の照明装置では、異常を生じた蛍光灯の交換が適切に行われずに、他の蛍光灯（光源）や駆動系（点灯駆動回路）に二次的な異常が生じるのを確実に防ぐことができないおそれがあった。
【０００６】
具体的にいえば、従来の照明装置では、奇数番目及び偶数番目の蛍光灯のいずれか一方に異常が生じたときに、他方の蛍光灯を駆動する駆動系の駆動を停止させているだけであったので、蛍光灯の設置数や駆動系の構成、または蛍光灯の交換までの経過時間などによっては、駆動を継続させた蛍光灯や駆動系での負荷が増大して、二次的な異常が発生するおそれがあった。
【０００７】
また、この従来の照明装置では、蛍光灯の異常を検出したときに、その蛍光灯異常を液晶表示装置側に通知し、当該蛍光灯異常を液晶表示装置の画面でＯＳＤ（On-Screen Display）表示させることも示されている。しかしながら、このようなＯＳＤ表示を行うだけでは、ユーザが異常を生じた蛍光灯を交換せずに、当該蛍光灯の適切な交換が行われなくて、二次的な異常発生を確実に防ぐことができないおそれがある。
【０００８】
上記の課題を鑑み、本発明は、異常が発生したときに、二次的な異常が生じるのを確実に防ぐことができる安全性に優れた照明装置、及びこれを用いた表示装置、並びにテレビ受信装置を提供することを目的とする。
【課題を解決するための手段】
【０００９】
上記の目的を達成するために、本発明にかかる照明装置は、光源を備えた照明装置であって、
前記光源を点灯駆動する複数の点灯駆動回路と、
前記点灯駆動回路の駆動制御を行う制御部を備え、
前記制御部は、前記光源及び前記点灯駆動回路の少なくとも一方の異常を検出したときに、エラー信号を生成するとともに、異常を検出した点灯駆動回路及び異常を検出した光源を点灯駆動する点灯駆動回路への各電力供給を停止させ、かつ、前記エラー信号を生成した時点から第１の閾値時間を経過したときに、残り全ての点灯駆動回路への各電力供給を停止させることを特徴とするものである。
【００１０】
上記のように構成された照明装置では、制御部は光源及び点灯駆動回路の少なくとも一方の異常を検出したときに、エラー信号を生成するとともに、異常を検出した点灯駆動回路及び異常を検出した光源を点灯駆動する点灯駆動回路への各電力供給を停止させる。また、制御部は、エラー信号を生成した時点から第１の閾値時間を経過したときに、残り全ての点灯駆動回路への各電力供給を停止させる。これにより、上記従来例と異なり、異常が発生したときに、二次的な異常が生じるのを確実に防ぐことができる安全性に優れた照明装置を構成することができる。
【００１１】
また、上記照明装置において、前記制御部は、前記エラー信号を外部に出力して、異常が発生したことを外部に通報することが好ましい。
【００１２】
この場合、光源及び点灯駆動回路の少なくとも一方に異常が発生したことを外部に通報して、当該異常の発生をユーザに即座に認識させることができる。
【００１３】
また、上記照明装置において、前記制御部は、前記光源または前記複数のいずれかの点灯駆動回路の異常を検出したときに、その異常を検出した時点から第２の閾値時間を経過するまでに、異常を検出した光源または点灯駆動回路についての異常の検出回数が所定回数を超えたときに、前記エラー信号を生成してもよい。
【００１４】
この場合、異常検出の誤動作が生じるのを防ぐことができる。
【００１５】
また、本発明の表示装置は、上記いずれかの照明装置を用いたことを特徴とするものである。
【００１６】
上記のように構成された表示装置では、異常が発生したときに、二次的な異常が生じるのを確実に防ぐことができる安全性に優れた照明装置が用いられているので、優れた安全性を有する信頼性の高い表示装置を容易に構成することができる。
【００１７】
また、上記表示装置において、情報を表示する表示部を備えるとともに、
前記制御部からの前記エラー信号が入力された場合、前記表示部は、所定の警告画面を表示するように構成されていることが好ましい。
【００１８】
この場合、表示部が上記警告画面を表示するので、光源及び点灯駆動回路の少なくとも一方に異常が発生したことをユーザに確実に認識させることができる。
【００１９】
また、本発明のテレビ受信装置は、上記いずれかの表示装置を用いたことを特徴とするものである。
【００２０】
上記のように構成されたテレビ受信装置では、異常が発生したときに、二次的な異常が生じるのを確実に防ぐことができる安全性に優れた照明装置が用いられているので、優れた安全性を有する信頼性の高いテレビ受信装置を容易に構成することができる。
【発明の効果】
【００２１】
本発明によれば、異常が発生したときに、二次的な異常が生じるのを確実に防ぐことができる安全性に優れた照明装置、及びこれを用いた表示装置、並びにテレビ受信装置を提供することが可能となる。
【発明を実施するための最良の形態】
【００２２】
以下、本発明の照明装置、及びこれを用いた表示装置、並びにテレビ受信装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００２３】
図１は、本発明の一実施形態にかかるテレビ受信装置及び液晶表示装置を説明する分解斜視図である。図において、本実施形態のテレビ受信装置１は、表示装置としての液晶表示装置２を備えており、アンテナやケーブル（図示せず）などによりテレビ放送を受信可能に構成されている。液晶表示装置２は、表キャビネット３及び裏キャビネット４に収納された状態で、スタンド５によって立設されるようになっている。また、テレビ受信装置１では、液晶表示装置２の表示面２ａが表キャビネット３を介在させて視認可能に構成されている。この表示面２ａは、スタンド５により、重力の作用方向（鉛直方向）に平行となるように設置されている。
【００２４】
また、テレビ受信装置１では、液晶表示装置２と裏キャビネット４との間に、支持板６に取り付けられるＴＶチューナー回路基板６ａ、後述の照明装置等のテレビ受信装置１の各部を制御する制御回路基板６ｂ、及び電源回路基板６ｃが配置されている。そして、テレビ受信装置１では、ＴＶチューナー回路基板６ａ上のＴＶチューナーで受信されたテレビ放送の映像信号に応じた画像が表示面２ａ上に表示されるとともに、表キャビネット３に設けられたスピーカ３ａから音声が再生出力される。なお、裏キャビネット４には、多数の通気孔が形成されており、照明装置や電源等で発生した熱を適切に放熱できるようになっている。
【００２５】
次に、図２を参照して、液晶表示装置２について具体的に説明する。
【００２６】
図２は、上記液晶表示装置の要部構成を説明する図である。図において、液晶表示装置２には、文字及び画像などの情報を表示する表示部としての液晶パネル７と、液晶パネル７の非表示面側（図の下側）に配置されて、当該液晶パネル７を照明する照明光を発生する本発明の照明装置８とが設けられており、これらの液晶パネル７と照明装置８とが透過型の液晶表示装置２として一体化されている。また、液晶表示装置２では、液晶パネル７の非表示面側及び表示面側に、透過軸が互いにクロスニコルに配置された一対の偏光板１２及び１３がそれぞれ設置されている。
【００２７】
照明装置８には、有底状のケーシング８ａと、ケーシング８ａに収納された複数本（例えば、８本）の熱陰極蛍光管９が互いに等ピッチで設けられている。ケーシング８ａの内面には、例えば反射シート８ｂが設置されており、光源としての熱陰極蛍光管９からの光を液晶パネル７側に反射させることにて当該熱陰極蛍光管９の光利用効率を向上させるようになっている。
【００２８】
また、各熱陰極蛍光管９には、直管状のものが用いられており、その両端部に設けられた電極部（図示せず）がケーシング８ａの外側にて支持されている。また、各熱陰極蛍光管９には、直径１０〜４０ｍｍ程度のものが使用されている。また、各熱陰極蛍光管９は、図示しない光源保持具によって拡散板１０及び反射シート８ｂとの各間の距離を所定の距離に保たれた状態で、ケーシング８ａの内部に保持されている。
【００２９】
さらに、複数の熱陰極蛍光管９は、その長手方向が重力の作用方向と直交する方向に平行となるように配置されている。これにより、熱陰極蛍光管９では、その内部に封入された水銀（蒸気）が重力の作用により長手方向の一方の端部側に集まるのが防がれて、ランプ寿命が大幅に向上されている。
【００３０】
また、上記ケーシング８ａの外側には、液晶パネル７を駆動する液晶駆動部１４、照明装置８の制御部としての照明制御部１５、及びこの照明制御部１５からの制御信号（指示信号）を用いて、複数の各熱陰極蛍光管９をインバータ駆動にて高周波点灯させるインバータ回路１６が設置されている。これらの液晶駆動部１４、照明制御部１５、及びインバータ回路１６は、制御回路基板６ｂ（図１）上に設けられており、ケーシング８ａの外側と対向するように配置されている。
【００３１】
また、照明装置８では、ケーシング８ａの開口部を覆うように設置された拡散板１０と、拡散板１０の上方に設置された光学シート１１とが設けられている。拡散板１０は、例えば厚さ２ｍｍ程度の長方形状の合成樹脂またはガラス材を用いて構成されている。また、拡散板１０は、ケーシング８ａ上で移動可能に保持されており、熱陰極蛍光管９の発熱やケーシング８ａの内部の温度上昇等の熱の影響により、当該拡散板１０に伸縮（塑性）変形が生じたときでも、ケーシング８ａ上で移動することで変形を吸収可能になっている。
【００３２】
光学シート１１には、例えば厚さ０．２ｍｍ程度の合成樹脂フィルムにて構成された拡散シートが含まれており、液晶パネル７への上記照明光を適度に拡散して当該液晶パネル７の表示面での表示品位を向上させるように構成されている。また、光学シート１１には、液晶パネル７の表示面での表示品位の向上を行うためなどのプリズムシート、偏光反射シートなどの公知の光学シート材が必要に応じて適宜積層されるようになっている。そして、光学シート１１は、拡散板１０から出射された面状光を、所定の輝度（例えば、１００００ｃｄ／ｍ2）以上で、かつ、ほぼ均一な輝度を有する面状光に変換して照明光として液晶パネル７側に入射させるように構成されている。
【００３３】
尚、上記の説明以外に、例えば液晶パネル７の上方（表示面側）に当該液晶パネル７の視野角を調整するための拡散シートなどの光学部材を適宜積層してもよい。
【００３４】
ここで、図３〜図４も参照して、本実施形態の照明装置８について具体的に説明する。
【００３５】
図３は図２に示した照明装置の要部構成を説明する図であり、図４は図３に示した照明制御部の具体的な構成を示すブロック図である。
【００３６】
図３に示すように、照明装置８には、複数の各熱陰極蛍光管９の駆動制御を行うための上記照明制御部１５と、熱陰極蛍光管９毎に設けられ、照明制御部１５からの指示信号を基に対応する熱陰極蛍光管９を点灯駆動する点灯駆動回路としての上記インバータ回路１６とが設置されている。このインバータ回路１６は、各熱陰極蛍光管９の長手方向での一端部側に設置されている。また、インバータ回路１６には、例えばハーフブリッジタイプのものが用いられており、インバータ回路１６は、上記指示信号に基づいて、例えばＰＷＭ調光を用いて、対応する熱陰極蛍光管９を駆動可能に構成されている。
【００３７】
また、照明装置８は、熱陰極蛍光管９毎に設けられて、対応する熱陰極蛍光管９を流れたランプ電流値を検出するランプ電流検出回路ＲＣを備えており、照明装置８では、各ランプ電流検出回路ＲＣにて検出されたランプ電流値が各熱陰極蛍光管９に応じて設置されたフィードバック回路ＦＢを経て照明制御部１５に出力されるようになっている。また、照明制御部１５では、後に詳述するように、フィードバック回路ＦＢからのランプ電流値を用いて、対応する熱陰極蛍光管９の異常の発生の有無を検出するようになっている。
【００３８】
また、照明制御部１５には、外部からの指示信号として、例えば照明装置８の発光面の輝度を変更する調光指示信号が入力されるようになっており、液晶表示装置１では、ユーザが液晶パネル７の表示面での輝度（明るさ）を適宜変更可能に構成されている。すなわち、照明制御部１５には、例えば液晶表示装置１側に設けられたリモートコントローラ等の操作入力器（図示せず）から調光指示信号が入力されるように構成されている。そして、照明制御部１５は、入力された調光指示信号を用いて、ＰＷＭ調光でのデューティ比を決定するとともに、各熱陰極蛍光管９への供給電流の目標値を決定するようになっている。
【００３９】
その後、照明制御部１５は、決定した目標値を基に各インバータ回路１６への指示信号を生成して出力することにより、対応する熱陰極蛍光管９に流れるランプ電流値が変化する。この結果、各熱陰極蛍光管９から出射される出射光の光量が、調光指示信号に応じて変化して、照明装置８の発光面での輝度及び液晶パネル７の表示面での輝度がユーザの操作指示に応じて適切に変更される。
【００４０】
また、各熱陰極蛍光管９に実際に供給されたランプ電流値は、対応するランプ電流検出回路ＲＣ及びフィードバック回路ＦＢを介して、照明制御部１５に検出電流値としてフィードバックされる。そして、照明制御部１５では、検出電流値と、上記調光指示信号を基に決定された供給電流の目標値とを用いたフィードバック制御が実行されることにより、ユーザが所望する輝度での表示が維持される。
【００４１】
また、図４に示すように、照明制御部１５には、調光信号生成部１５ａが設けられており、上記調光指示信号に基づいて、各熱陰極蛍光管９に接続されたインバータ回路１６への指示信号を生成して出力するようになっている。
【００４２】
また、照明制御部１５は、異常検出部１５ｂ、カウンター１５ｃ、エラー信号出力部１５ｄ、タイマー１５ｅ、停止信号出力部１５ｆを備えており、熱陰極蛍光管９及びインバータ回路１６の少なくとも一方の異常を検出したときに、エラー信号を生成するとともに、異常を検出したインバータ回路１６及び異常を検出した熱陰極蛍光管９を点灯駆動するインバータ回路１６への各電力供給を停止させるように構成されている。さらに、照明制御部１５は、後に詳述するように、エラー信号を生成した時点から所定時間（第１の閾値時間）を経過したときに、残り全てのインバータ回路１６への各電力供給を停止させるようになっている。
【００４３】
また、照明制御部１５では、上述の各部がＩＣやＡＳＩＣ等を用いて構成されており、さらには、照明制御部１５には、メモリ１５ｇが設けられており、異常検出部１５ｂでの検出結果やエラー信号出力部１５ｄあるいは停止信号出力部１５ｆからの各出力信号の出力結果などの所定の情報を記憶するようになっている。
【００４４】
また、調光信号生成部１５ａには、デューティ比決定部１５ａ１が設けられており、このデューティ比決定部１５ａ１が外部からの調光指示信号を使用して、熱陰極蛍光管９毎に、ＰＷＭ調光におけるＰＷＭ周期でのオン期間とオフ期間とのデューティ比を決定する。そして、調光信号生成部１５ａは、決定したデューティ比に基づいて、ＰＷＭ調光での所定の調光周波数を有する調光信号を生成し、上記指示信号に含めて、対応するインバータ回路１６に出力するようになっている。
【００４５】
異常検出部１５ｂは、熱陰極蛍光管９及びインバータ回路１６の少なくとも一方の異常を検出するように構成されている。具体的にいえば、異常検出部１５ｂは、フィードバック回路ＦＢからのランプ電流値を用いて、対応する熱陰極蛍光管９にランプ不点灯などの異常が発生しているか否かについて判別するようになっている。また、異常検出部１５ｂでは、複数の各インバータ回路１６との間に異常検出線（図示せず）が設けられており、インバータ回路１６において、動作不良などの異常が生じたときに、その異常が上記異常検出線を介して異常検出部１５ｂに通知されて検出されるようになっている。
【００４６】
カウンター１５ｃは、予め設定された設定時間（第２の閾値時間）内で、異常検出部１５ｂが異常検出を行った回数を、複数の熱陰極蛍光管９毎及び複数のインバータ回路１６毎にカウントするように構成されている。これにより、本実施形態の照明装置８では、異常検出の誤動作が生じるのを防ぐことができるようになっている（詳細は後述。）。
【００４７】
エラー信号出力部１５ｄは、カウンター１５ｃのカウント結果を用いて、エラー信号を生成して、停止信号出力部１５ｆに出力するように構成されており、後に詳述するように、異常が検出されたインバータ回路１６及び異常が検出された熱陰極蛍光管９を点灯駆動するインバータ回路１６への各電力供給が停止される。
【００４８】
また、このエラー信号出力部１５ｄは、生成したエラー信号を照明装置８の外部に出力するようになっている。すなわち、照明制御部１５は、熱陰極蛍光管９及びインバータ回路１６の少なくとも一方の異常を検出したときに、エラー信号出力部１５ｄにより、その検出した異常を外部に通報するように構成されている。これにより、本実施形態の照明装置８では、上記異常の発生をユーザに即座に認識させることができるようになっている。
【００４９】
具体的には、エラー信号出力部１５ｄは、生成したエラー信号を上記液晶駆動部１４に出力する。この液晶駆動部１４は、エラー信号出力部１５ｄからのエラー信号に応じて、異常を発生した熱陰極蛍光管９やインバータ回路１６などの位置や異常内容などを含んだ所定の警告画面を作成して、液晶パネル（表示部）７に表示させるようになっている。
【００５０】
尚、エラー信号出力部１５ｄからのエラー信号の出力先は上記の液晶駆動部１４に限定されるものではなく、例えばＬＥＤなどの複数の発光素子を具備し、エラー信号出力部１５ｄからのエラー信号に応じて、いずれかの発光素子が点灯（発光）することによって異常を発生した熱陰極蛍光管９やインバータ回路１６を外部に通報する通報手段にエラー信号を出力させてもよい。
【００５１】
タイマー１５ｅは、エラー信号出力部１５ｄがエラー信号を生成したときに、その生成した時点からの経過時間を計測するようになっている。そして、タイマー１５ｅは、その計測時間が上記所定時間を超過すると、所定時間を超過したことを停止信号出力部１５ｆに通知するように構成されている。
【００５２】
停止信号出力部１５ｆは、エラー信号出力部１５ｄからエラー信号が入力されると、そのエラー信号で示される異常が検出された熱陰極蛍光管９及びインバータ回路１６の少なくとも一方に対応したインバータ回路１６への電力供給を停止させるための停止信号を生成する。
【００５３】
つまり、複数のいずれかの熱陰極蛍光管９に対応して、エラー信号が生成され、停止信号出力部１５ｆに入力されると、停止信号出力部１５ｆは、その入力されたエラー信号を基に異常が検出された熱陰極蛍光管９を判別し、さらにその判別した熱陰極蛍光管９を点灯駆動するインバータ回路１６に対して、上記停止信号を出力して、当該インバータ回路１６に対して図示を省略した電源からの電力供給を停止させる。また、複数のいずれかのインバータ回路１６に対応して、エラー信号が生成され、停止信号出力部１５ｆに入力されると、停止信号出力部１５ｆは、その入力されたエラー信号を基に異常が検出されたインバータ回路１６を判別し、さらにその判別したインバータ回路１６に対して、上記停止信号を出力して、当該インバータ回路１６に対して上記電源からの電力供給を停止させる。
【００５４】
また、停止信号出力部１５ｆは、エラー信号を生成したときの時点からの経過時間が所定時間を超過したことをタイマー１５ｅから通知されると、残り全てのインバータ回路１６に対して、上記停止信号を出力して、これら全てのインバータ回路１６への各電力供給を停止させる。
【００５５】
尚、上記の説明では、異常を検出したインバータ回路１６や異常を検出した熱陰極蛍光管９を点灯駆動するインバータ回路１６への各電力供給を停止させる構成について説明したが、本実施形態はこれに限定されるものではなく、例えばインバータ回路毎に保護回路を設けるとともに、上記エラー信号が生成されたときに、保護回路が対応するインバータ回路の動作を停止させる構成でもよい。
【００５６】
ここで、上記のように構成された本実施形態の液晶表示装置２の動作について、説明する。なお、以下の説明では、照明装置８での異常検出動作及び停止動作について主に説明する。
【００５７】
図５は、上記液晶表示装置の動作を示すフローチャートである。
【００５８】
図５のステップＳ１に示すように、照明制御部１５では、異常検出部１５ｂは熱陰極蛍光管９及びインバータ回路１６の少なくとも一方に異常が発生しているか否かについて検出する。そして、異常検出部１５ｂは、異常発生を検出しなければ、待機状態となる。
【００５９】
一方、異常検出部１５ｂが異常を検出すると、カウンター１５ｃは複数の熱陰極蛍光管９毎及び複数のインバータ回路１６毎に回数計測を行う（ステップＳ２）。さらに、カウンター１５ｃは、複数の熱陰極蛍光管９毎及び複数のインバータ回路１６毎に、予め設定された設定時間（第２の閾値時間、例えば、６０秒）を経過するまでに、異常検出部１５ｂが異常検出を行った回数が所定回数（例えば、５回）を超過したか否かについて判別する。そして、カウンター１５ｃは、異常検出の計測回数が設定時間内で所定回数を超過したことを判別すると、カウンター１５ｃは、そのカウント結果をエラー信号出力部１５ｄに出力する。
【００６０】
続いて、エラー信号出力部１５ｄは、カウンター１５ｃのカウント結果を用いて、エラー信号を生成して、停止信号出力部１５ｆに出力する。そして、停止信号出力部１５ｆは、該当するインバータ回路１６に対して、停止信号を出力して、当該インバータ回路１６への電力供給が停止される（ステップＳ４）。これにより、異常検出が行われたインバータ回路１６及び異常検出が行われた熱陰極蛍光管９用のインバータ回路１６への各電力供給だけが停止される。また、このように異常検出されたインバータ回路１６に接続された熱陰極蛍光管９だけが消灯されるので、熱陰極蛍光管９の消灯に伴う、発光品位の低下を極力抑制することができる。
【００６１】
また、上記ステップＳ４では、タイマー１５ｅにおいて、エラー信号出力部１５ｄでのエラー信号の生成された時点からのタイマー計測（時間計測）が開始される。さらに、エラー信号出力部１５ｄは、生成したエラー信号を液晶駆動部１４に出力する。そして、液晶駆動部１４では、エラー信号出力部１５ｄからのエラー信号に応じて、異常を発生した熱陰極蛍光管９やインバータ回路１６などの位置や異常内容などを含んだ所定の警告画面が作成され、液晶パネル（表示部）７に表示される。つまり、本実施形態では、異常検出のアラート表示が液晶パネル７にて行われ、異常検出した熱陰極蛍光管９やインバータ回路１６の交換作業を実施することが、ユーザに対して要求される。
【００６２】
また、上記警告画面では、異常検出部１５ｂが異常検出した熱陰極蛍光管９及びインバータ回路１６の位置に応じて、異常検出した熱陰極蛍光管９やインバータ回路１６の交換作業を要求することを含んだ上記アラート表示の位置が適宜変更されるようになっている。つまり、本実施形態の照明装置８では、異常検出が行われたインバータ回路１６に接続された熱陰極蛍光管９だけが消灯されているので、その消灯されている熱陰極蛍光管９とは異なる液晶パネル７上の位置で上記アラート表示が行われるようになっている。これにより、本実施形態では、異常検出及び交換作業の要求をユーザに確実に通報することができる。
【００６３】
次に、タイマー１５ｅでは、エラー信号が生成された時点からの経過時間が所定時間（第１の閾値時間、例えば、１０時間）を超過するか否かについて判別される（ステップＳ５）。そして、タイマー１５ｅでの計測時間が所定時間を超過すると、タイマー１５ｅは所定時間を超過したことを停止信号出力部１５ｆに通知する。
【００６４】
続いて、停止信号出力部１５ｆは、残り全てのインバータ回路１６に対して、停止信号を出力して、これら全てのインバータ回路１６への各電力供給を停止させる（ステップＳ６）。これにより、本実施形態の照明装置８では、液晶パネル７への照明光の照射が停止される。この結果、本実施形態のテレビ受信装置１では、映像が表示できない状態となり、その電源がシャットダウンされた状態と実質的に同一の状態となる。
【００６５】
また、以上のように、停止信号出力部１５ｆが全てのインバータ回路１６を停止させた場合、本実施形態の照明装置８では、異常検出が行われた熱陰極蛍光管９やインバータ回路１６の交換作業が適切に終了されたことが照明制御部１５により検知されるまで、全てのインバータ回路１６の停止を解除できないようになっている。
【００６６】
尚、上記の説明以外に、停止信号出力部１５ｆは、残り全てのインバータ回路１６に対して、停止信号を出力するときに、液晶表示装置２の電源やテレビ受信装置１の電源を停止するよう指示する指示信号を液晶駆動部１４やテレビ受信装置１側の制御回路（図示せず）に出力する構成でもよい。
【００６７】
以上のように構成された本実施形態の照明装置８では、照明制御部（制御部）１５は熱陰極蛍光管（光源）９及びインバータ回路（点灯駆動回路）１６の少なくとも一方の異常を検出したときに、エラー信号を生成する。また、照明制御部１５は、異常を検出したインバータ回路１６及び異常を検出した熱陰極蛍光管９を点灯駆動するインバータ回路１６への各電力供給を停止させる。さらに、照明制御部１５は、エラー信号を生成した時点から所定時間（第１の閾値時間）を経過したときに、残り全てのインバータ回路１６への各電力供給を停止させる。これにより、本実施形態では、上記従来例と異なり、異常が発生したときに、二次的な異常が生じるのを確実に防ぐことができる安全性に優れた照明装置８を構成することができる。
【００６８】
また、本実施形態の液晶表示装置２では、照明制御部１５からのエラー信号が入力された場合、液晶パネル（表示部）７は所定の警告画面を表示するように構成されているので、熱陰極蛍光管９及びインバータ回路１５の少なくとも一方に異常が発生したことをユーザに確実に認識させることができる。
【００６９】
また、本実施形態のテレビ受信装置１及び液晶表示装置２では、異常が発生したときに、二次的な異常が生じるのを確実に防ぐことができる安全性に優れた照明装置８が用いられているので、優れた安全性を有する信頼性の高いテレビ受信装置１及び液晶表示装置２を容易に構成することができる。
【００７０】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００７１】
例えば、上記の説明では、本発明を透過型の液晶表示装置に適用した場合について説明したが、本発明の照明装置はこれに限定されるものではなく、光源の光を利用して、画像、文字などの情報を表示する非発光型の表示部を備えた各種表示装置に適用することができる。具体的には、半透過型の液晶表示装置、あるいは液晶パネルをライトバルブに用いた投写型表示装置に本発明の照明装置を好適に用いることができる。
【００７２】
また、上記の説明では、熱陰極蛍光管を用いた場合について説明したが、本発明の光源はこれに限定されるものではなく、冷陰極蛍光管やキセノン蛍光管などの他の放電蛍光管、あるいはＵ字管や擬似Ｕ字管などの非直管状の放電蛍光管を使用することもできる。さらには、発光ダイオード（ＬＥＤ）や有機ＥＬ（Electro-Luminescence）などの発光素子を光源に用いることができる。
【００７３】
すなわち、本発明は、光源に接続されて当該光源を点灯駆動する点灯駆動回路と、点灯駆動回路の駆動制御を行う制御部を備え、制御部は光源及び点灯駆動回路の少なくとも一方の異常を検出したときに、エラー信号を生成するとともに、異常を検出した点灯駆動回路及び異常を検出した光源を点灯駆動する点灯駆動回路への各電力供給を停止させ、かつ、エラー信号を生成した時点から第１の閾値時間を経過したときに、残り全ての点灯駆動回路への各電力供給を停止させるものであればよく、光源の種類、設置数、駆動方式、あるいは点灯駆動回路の構成等は何等上記のものに限定されない。
【００７４】
具体的には、上記の説明では、１本の熱陰極蛍光管毎にインバータ回路を接続して点灯駆動する場合について説明したが、１個の点灯駆動回路により複数本の熱陰極蛍光管を点灯駆動する構成でもよい。また、上記キセノン蛍光管等の水銀レスの放電蛍光管を用いた場合には、重力の作用方向に平行に配列された放電管を有する長寿命な照明装置を構成することができる。
【産業上の利用可能性】
【００７５】
本発明は、異常が発生したときに、二次的な異常が生じるのを確実に防ぐことができる安全性に優れた照明装置、及びこれを用いた表示装置、並びにテレビ受信装置に対して有用である。
【図面の簡単な説明】
【００７６】
【図１】本発明の一実施形態にかかるテレビ受信装置及び液晶表示装置を説明する分解斜視図である。
【図２】上記液晶表示装置の要部構成を説明する図である。
【図３】図２に示した照明装置の要部構成を説明する図である。
【図４】図３に示した照明制御部の具体的な構成を示すブロック図である。
【図５】上記液晶表示装置の動作を示すフローチャートである。
【符号の説明】
【００７７】
１  テレビ受信装置
２  液晶表示装置（表示装置）
７  液晶パネル（表示部）
８  照明装置
９  熱陰極蛍光管（光源）
１５  照明制御部（制御部）
１６  インバータ回路（点灯駆動回路）
【図１】
2009206036.tif 000003
【図２】
2009206036.tif 000004
【図３】
2009206036.tif 000005
【図４】
2009206036.tif 000006
【図５】
2009206036.tif 000007